(57)【要約】  空気調和機は、空調空間の空調を行う空調機本体と、空調機本体に設けられ、空調機本体の運転状態を表示する表示部と、表示部の動作を制御する制御部と、を備え、表示部は、空調機本体に設けられ、穴が形成された筐体と、筐体の穴に配置され、空調機本体の運転又は停止を示す第１の発光素子と、筐体の穴に配置され、空調機本体の運転モードを示し、第１の発光素子とは異なる色で発光する第２の発光素子と、を有し、制御部は、空調機本体が運転しているとき、第１の発光素子を点灯させると共に第２の発光素子を消灯させ、空調機本体の運転モードが切り替えられたとき、第１の発光素子を消灯又は出力低下させると共に第２の発光素子を点灯させるものである。
2017033250.tif 000002
【特許請求の範囲】
【請求項１】
空調空間の空調を行う空調機本体と、
前記空調機本体に設けられ、前記空調機本体の運転状態を表示する表示部と、
前記表示部の動作を制御する制御部と、を備え、
前記表示部は、
前記空調機本体に設けられ、穴が形成された筐体と、
前記筐体の前記穴に配置され、前記空調機本体の運転又は停止を示す第１の発光素子と、
前記筐体の前記穴に配置され、前記空調機本体の運転モードを示し、前記第１の発光素子とは異なる色で発光する第２の発光素子と、を有し、
前記制御部は、
前記空調機本体が運転しているとき、前記第１の発光素子を点灯させると共に前記第２の発光素子を消灯させ、
前記空調機本体の運転モードが切り替えられたとき、前記第１の発光素子を消灯又は出力低下させると共に前記第２の発光素子を点灯させるものである
空気調和機。
【請求項２】
前記制御部は、
前記空調機本体が停止している場合、前記空調機本体の運転モードが切り替えられたとき、前記第１の発光素子を消灯させたまま前記第２の発光素子を点灯させるものである請求項１記載の空気調和機。
【請求項３】
前記制御部は、
前記第１の発光素子又は前記第２の発光素子の出力を、点灯と消灯との間の遷移期間において段階的に変化させるものである請求項１又は２記載の空気調和機。
【請求項４】
前記制御部は、
前記第１の発光素子を消灯又は出力低下させると共に前記第２の発光素子を点灯させてから点灯又は消灯を維持するモード切替時間が経過したとき、前記第１の発光素子を点灯させると共に前記第２の発光素子を消灯又は出力低下させるものである請求項１〜３のいずれか１項に記載の空気調和機。
【請求項５】
前記第１の発光素子の発光色は白色である請求項１〜４のいずれか１項に記載の空気調和機。
【請求項６】
前記第２の発光素子の発光色は複数の色に切り替え自在である請求項１〜５のいずれか１項に記載の空気調和機。
【発明の詳細な説明】
【技術分野】
【０００１】
本発明は、運転状態を表示する表示部を備える空気調和機に関する。
【背景技術】
【０００２】
従来、現在の運転状態をユーザに知らせる表示装置が前面に設けられた空気調和機が知られている。表示装置は、発光素子と、発光素子からの光を透過する透光表示パネルとからなる。表示装置として、例えば運転ランプとモードランプとが設けられている。運転ランプは、空気調和機が運転している間、常時点灯することによって、運転又は停止をユーザに知らせるものである。モードランプは、リモートコントローラ等から運転モードを変更する信号を受信したとき、運転モードに応じた色を所定時間だけ点灯し、選択された運転モードをユーザに知らせるものである。これにより、ユーザが運転モードを誤って選択しても、ユーザは誤選択であることを認識することができる。なお、運転モードとしては、暖房運転、冷房運転及び除湿運転等がある。特許文献１には、発光色の異なる複数の発光素子と、複数の発光素子を覆う透光表示パネルとを有する表示装置を備えた空気調和装置が開示されている。複数の発光素子は、一つの筐体に設けられた筒状の反射体に設置されており、これにより省スペース化を図っている。また、発光素子の前面には、透光表示パネルが設置されている。特許文献１は、少なくとも一つの発光素子と透光表示パネルとの間の距離と、そのほかの発光素子と透光表示パネルとの間の距離とが異なる。これにより、発光素子同士の明るさの差を軽減し、表示装置の視認性を高めようとするものである。
【先行技術文献】
【特許文献】
【０００３】
【特許文献１】特開平１０−１０５０７７号公報
【発明の概要】
【発明が解決しようとする課題】
【０００４】
しかしながら、特許文献１に開示された空気調和装置の表示装置は、発光色の異なる複数の発光素子が同時に点灯するため、混色又は薄色化する。従って、表示装置の視認性が悪化する。一方、発光素子同士の距離を空ければ、視認性悪化は解消されるものの、表示部のスペースが大きくなってしまう。【０００５】
本発明は、上記のような課題を解決するためになされたもので、表示部の省スペース化を実現した上で、表示部の視認性を向上させる空気調和機を提供するものである。
【課題を解決するための手段】
【０００６】
本発明に係る空気調和機は、空調空間の空調を行う空調機本体と、空調機本体に設けられ、空調機本体の運転状態を表示する表示部と、表示部の動作を制御する制御部と、を備え、表示部は、空調機本体に設けられ、穴が形成された筐体と、筐体の穴に配置され、空調機本体の運転又は停止を示す第１の発光素子と、筐体の穴に配置され、空調機本体の運転モードを示し、第１の発光素子とは異なる色で発光する第２の発光素子と、を有し、制御部は、空調機本体が運転しているとき、第１の発光素子を点灯させると共に第２の発光素子を消灯させ、空調機本体の運転モードが切り替えられたとき、第１の発光素子を消灯又は出力低下させると共に第２の発光素子を点灯させるものである。
【発明の効果】
【０００７】
本発明によれば、第１の発光素子及び第２の発光素子は筐体の穴に設けられており、また、運転モードが切り替えられたとき、第１の発光素子を消灯又は出力低下させると共に第２の発光素子を点灯させる。これにより、第１の発光素子の色が薄まり、第２の発光素子の色と第１の発光素子の色との混色又は薄色化を抑制することができる。従って、表示部の省スペース化を実現した上で、表示部の視認性を向上させることができる。
【図面の簡単な説明】
【０００８】
【図１】本発明の実施の形態１に係る空気調和機１を示す模式図である。
【図２】本発明の実施の形態１における表示部１０を示す分解斜視図である。
【図３】本発明の実施の形態１における表示部１０を示す断面図である。
【図４】本発明の実施の形態１に係る空気調和機１を示すブロック図である。
【図５】本発明の実施の形態１における表示部１０の動作を示すタイミングチャートである。
【図６】本発明の実施の形態１における表示部１０の動作を示すタイミングチャートである。
【図７】本発明の実施の形態１における表示部１０の動作を示すタイミングチャートである。
【図８】本発明の実施の形態１に係る空気調和機１の動作を示すフローチャートである。
【図９】本発明の第１変形例における表示部１０の動作を示すタイミングチャートである。
【図１０】本発明の第２変形例における表示部１０の動作を示すタイミングチャートである。
【図１１】本発明の第３変形例における表示部１０の動作を示すタイミングチャートである。
【発明を実施するための形態】
【０００９】
実施の形態１．
以下、本発明に係る空気調和機の実施の形態について、図面を参照しながら説明する。図１は、本発明の実施の形態１に係る空気調和機１を示す模式図である。この図１に基づいて、空気調和機１について説明する。図１に示すように、空気調和機１は、空調空間の空調を行う空調機本体２と、空調機本体２の運転状態を示す表示部１０と、空調機本体２及び表示部１０の動作を制御する制御部２０とを備えている。
【００１０】
空気調和機１は、例えばリモートコントローラ３からの信号に基づいて、空調空間の空調を行う。リモートコントローラ３からの信号としては、空気調和機１の運転開始を指令する運転開始信号、空気調和機１の停止を指令する停止信号、空気調和機１の運転モードの変更を指令する運転モード信号、空気調和機１の設定温度を含む信号等が挙げられ、赤外線信号として空気調和機１に送信される。ここで、空気調和機１の運転モードとは、例えば冷房運転、暖房運転及び除湿運転等が挙げられる。なお、空調機本体２は、例えば熱交換器及び送風機を備える室内機である。
【００１１】
図２は、本発明の実施の形態１における表示部１０を示す分解斜視図、図３は、本発明の実施の形態１における表示部１０を示す断面図である。図２，図３に示すように、表示部１０は、筐体１１と、固定具１２と、基板１３と、第１の発光素子１４と、第２の発光素子１５と、表示シート１６と、前面パネル１７とを備えている。筐体１１は、空調機本体２に設けられ、後面、即ち矢印Ｙ２方向の面が開口された直方体状をなしており、例えば３個の円錐台状の穴１１ａを有する。穴１１ａは、光が通過するものであり、筐体１１の前面側、即ち矢印Ｙ１方向側から後面側、即ち矢印Ｙ２方向側に向かって縮径され、穴１１ａの壁面は、光を反射する反射体となっている。固定具１２は、矩形状をなしており、前面、即ち矢印Ｙ１方向の面に基板１３が固定されるものである。基板１３は、矩形状をなしており、固定具１２の前面、即ち矢印Ｙ１方向の面に固定された状態で、筐体１１の内部に固定される。
【００１２】
第１の発光素子１４は、基板１３に実装されると共に筐体１１の穴１１ａに配置され、空調機本体２の運転又は停止を示す運転ランプである。第１の発光素子１４は、例えば１個のＬＥＤモジュールからなり、第１の発光素子１４の発光色は白色である。第１の発光素子１４は、基板１３から供給される電源が調整されることにより、出力が変化する。第２の発光素子１５は、基板１３に実装されると共に筐体１１の穴１１ａに配置され、空調機本体２の運転モードを示すモードランプである。第２の発光素子１５は、第１の発光素子１４とは異なる色で発光する。第２の発光素子１５は、例えば３個のＬＥＤモジュールからなり、第２の発光素子１５の発光色は複数の色に切り替え自在である。３個のＬＥＤモジュールは、夫々赤色ＬＥＤ、緑色ＬＥＤ及び青色ＬＥＤである。
【００１３】
第２の発光素子１５は、基板１３から供給される電源が調整されることにより、赤色ＬＥＤ、緑色ＬＥＤ及び青色ＬＥＤの出力が２５５階調で変化する。例えば、第２の発光素子１５において、赤色ＬＥＤの出力を最大の２５５階調、緑色ＬＥＤの出力を０階調、青色ＬＥＤの出力を０階調とすると、第２の発光素子１５は、赤色に点灯する。例えば、第２の発光素子１５において、赤色ＬＥＤの出力を最大の２５５階調、緑色ＬＥＤの出力を１６０階調、青色ＬＥＤの出力を０階調とすると、第２の発光素子１５は、橙色に点灯する。
【００１４】
運転モードが冷房運転であるとき、第２の発光素子１５において、赤色ＬＥＤの出力を０階調、緑色ＬＥＤの出力を３０階調、青色ＬＥＤの出力を２５５階調として、第２の発光素子１５が青色系に点灯される。運転モードが暖房運転であるとき、第２の発光素子１５において、赤色ＬＥＤの出力を２５５階調、緑色ＬＥＤの出力を１６０階調、青色ＬＥＤの出力を０階調として、第２の発光素子１５が橙色に点灯される。運転モードが除湿運転であるとき、第２の発光素子１５において、赤色ＬＥＤの出力を０階調、緑色ＬＥＤの出力を１６０階調、青色ＬＥＤの出力を３０階調として、第２の発光素子１５が緑色系に点灯される。
【００１５】
なお、第１の発光素子１４及び第２の発光素子１５は、基板１３上に隣接して配置されており、基板１３が筐体１１に固定されると、第１の発光素子１４及び第２の発光素子１５は、筐体１１に設けられた１個の穴１１ａに収まる。また、本実施の形態１では、第１の発光素子１４及び第２の発光素子１５という２個の発光素子を例示しているが、３個以上の発光素子が用いられてもよい。
【００１６】
表示シート１６は、矩形状をなした透過フィルムであり、３個の図形１６ａが記載されている。表示シート１６が筐体１１の前面、即ち矢印Ｙ１方向の面に貼付されると、３個の図形１６ａの位置が、筐体１１の穴１１ａの位置と重なる。これにより、第１の発光素子１４及び第２の発光素子１５から出射された光が反射体である穴１１ａで反射され、表示シート１６に至り、図形１６ａが点灯して表示される。前面パネル１７は、矩形状をなしており、光が透過するものである。前面パネル１７は、筐体１１と共に表示シート１６を挟み込むように筐体１１に固定されている。表示部１０は、空調機本体２の前面、即ち矢印Ｙ１方向の面に取り付けられることにより、空調機本体２の意匠面の一部となる。
【００１７】
図４は、本発明の実施の形態１に係る空気調和機１を示すブロック図である。制御部２０は、表示部１０の動作を制御するものであり、図４に示すように、受信手段２１と、室内制御手段２２と、駆動手段２３とを備えている。受信手段２１は、リモートコントローラ３から信号を受信し、入力処理信号として室内制御手段２２に送信する。室内制御手段２２は、入力処理信号を演算処理又は判断処理し、演算結果又は判断結果に基づいた出力信号を駆動手段２３に送信する。駆動手段２３は、出力信号に基づいて、第１の発光素子１４及び第２の発光素子１５を駆動するものである。駆動手段２３は、第１の発光素子１４及び第２の発光素子１５の点灯、消灯及び調光といった出力の調整を行う。
【００１８】
具体的には、室内制御手段２２及び駆動手段２３は、空調機本体２が運転しているとき、第１の発光素子１４を点灯させると共に第２の発光素子１５を消灯させる。また、空調機本体２の運転時、室内制御手段２２及び駆動手段２３は、受信手段２１がリモートコントローラ３から信号を受信すると、第１の発光素子１４を消灯又は出力低下させると共に、第２の発光素子１５を点灯させる。なお、この信号には、運転開始信号又は停止信号と、運転モード信号とが含まれる。また、制御部２０は、空調機本体２が停止している場合、空調機本体２の運転モードが切り替えられたとき、第１の発光素子１４を消灯させたまま第２の発光素子１５を点灯させるものである。
【００１９】
このように、制御部２０は、空調機本体２が運転しているとき、第１の発光素子１４を点灯させると共に第２の発光素子１５を消灯させ、空調機本体２の運転モードが切り替えられたとき、第１の発光素子１４を消灯又は出力低下させると共に第２の発光素子１５を点灯させるものである。なお、駆動手段２３は、第１の発光素子１４及び第２の発光素子１５のほかに、空気を吹き出す送風機（図示せず）の回転速度を制御し、吹き出す空気の向きを変更する風向制御板（図示せず）の動作を制御する。また、駆動手段２３は、空気調和機１の室外機（図示せず）に設けられた圧縮機（図示せず）等の動作を制御する。
【００２０】
図５，図６，図７は、本発明の実施の形態１における表示部１０の動作を示すタイミングチャートである。次に、表示部１０の動作について説明する。図５は、リモートコントローラ３からの信号が運転開始信号であり、且つ、空気調和機１が運転しているときの動作を示す。この場合、図５に示すように、運転ランプである第１の発光素子１４は点灯し、モードランプである第２の発光素子１５は消灯している。この状態において、制御部２０は、リモートコントローラ３から信号を受信したとき、第１の発光素子１４を消灯させ、第２の発光素子１５を点灯させる。なお、この信号には、運転開始信号又は停止信号と、運転モード信号とが含まれる。
【００２１】
即ち、制御部２０は、空調機本体２が運転しているとき、第１の発光素子１４を点灯させると共に第２の発光素子１５を消灯させ、空調機本体２の運転モードが切り替えられたとき、第１の発光素子１４の出力を低下させると共に第２の発光素子１５の出力を上昇させる。これにより、ユーザは、第２の発光素子１５の発光により、空調機本体２がリモートコントローラ３から信号を受信したことを認識する。このとき、第２の発光素子１５は、リモートコントローラ３から受信した信号に含まれる運転モードに応じた色で点灯される。そして、制御部２０は、予め定められたモード切替時間Ｔ１が経過したとき、第１の発光素子１４を点灯させ、第２の発光素子１５を消灯させる。
【００２２】
ここで、モード切替時間Ｔ１は、ユーザが操作したことを認識することができるために十分な時間とすればよく、例えば２秒程度である。このように、制御部２０は、多色の第２の発光素子１５の点灯時間を限定し、白色の第１の発光素子１４を点灯させることによって、空気調和機１が運転中であることをユーザに認識させている。従って、発光時間の寿命が短い多色の第２の発光素子１５の点灯時間が減るため、第２の発光素子１５の使用期間を延ばすことができる。また、高額な多色の第２の発光素子１５の点灯時間が減るため、第２の発光素子１５の交換費用を削減することができる。
【００２３】
図６は、リモートコントローラ３からの信号が運転開始信号であり、且つ、空気調和機１が停止しているときの動作を示す。図６に示すように、運転ランプである第１の発光素子１４は消灯し、モードランプである第２の発光素子１５も消灯している。制御部２０は、リモートコントローラ３から信号を受信したとき、第１の発光素子１４の消灯を維持し、第２の発光素子１５を点灯させる。即ち、制御部２０は、空調機本体２が停止している場合、空調機本体２の運転モードが切り替えられたとき、第１の発光素子１４を消灯させたまま第２の発光素子１５の出力を上昇させる。これにより、ユーザは、第２の発光素子１５の発光により、空調機本体２がリモートコントローラ３から信号を受信したことを認識する。このとき、第２の発光素子１５は、リモートコントローラ３から受信した信号に含まれる運転モードに応じた色で点灯される。そして、制御部２０は、予め定められたモード切替時間Ｔ１が経過したとき、第１の発光素子１４を点灯させ、第２の発光素子１５を消灯させる。
【００２４】
図７は、リモートコントローラ３からの信号が停止信号であり、且つ、空気調和機１が運転しているときの動作を示す。図７に示すように、運転ランプである第１の発光素子１４は点灯し、モードランプである第２の発光素子１５は消灯している。制御部２０は、リモートコントローラ３から信号を受信したとき、第１の発光素子１４を消灯させ、第２の発光素子１５の消灯を維持する。これにより、ユーザは、空気調和機１の運転が停止したことを認識する。
【００２５】
図８は、本発明の実施の形態１に係る空気調和機１の動作を示すフローチャートである。次に、空気調和機１の動作について説明する。図８に示すように、先ず、空調機本体２の制御部２０の受信手段２１によって、リモートコントローラ３からの信号が受信される（ステップＳＴ１）。なお、この信号には、運転開始信号又は停止信号と、運転モード信号とが含まれる。次に、制御部２０の室内運転制御手段によって、リモートコントローラ３からの信号が運転開始信号であるか停止信号であるかが判断される（ステップＳＴ２）。信号が停止信号の場合（ステップＳＴ２のＮｏ）、第１の発光素子１４が消灯されると共に第２の発光素子１５が消灯され、空気調和機１が停止される（ステップＳＴ７）。これは、図７に示すタイミングチャートに相当する。その後、ステップＳＴ１に戻る。
【００２６】
一方、信号が運転開始信号の場合（ステップＳＴ２のＹｅｓ）、信号に含まれる運転モードが把握され、運転モードに応じて第２の発光素子１５の色が決定される（ステップＳＴ３）。その後、空気調和機１が運転しているか停止しているかが判断される（ステップＳＴ４）。空気調和機１が停止している場合（ステップＳＴ４のＮｏ）、第１の発光素子１４が消灯されると共に第２の発光素子１５が点灯される（ステップＳＴ５）。即ち、制御部２０は、空調機本体２が停止している場合、空調機本体２の運転モードが切り替えられたとき、第１の発光素子１４を消灯させたまま第２の発光素子１５の出力を上昇させる。そして、運転モードが変更される（ステップＳＴ８）。運転モードが変更された後、モード切替時間Ｔ１が経過する（ステップＳＴ９）と、第１の発光素子１４が点灯されると共に第２の発光素子１５が消灯される（ステップＳＴ１０）。これは、図６に示すタイミングチャートに相当する。その後、ステップＳＴ１に戻る。
【００２７】
一方、空気調和機１が運転している場合（ステップＳＴ４のＹｅｓ）、第１の発光素子１４が消灯されると共に第２の発光素子１５が点灯される（ステップＳＴ６）。即ち、制御部２０は、空調機本体２が運転しているとき、第１の発光素子１４を点灯させると共に第２の発光素子１５を消灯させ、空調機本体２の運転モードが切り替えられたとき、第１の発光素子１４の出力を低下させると共に第２の発光素子１５の出力を上昇させる。そして、運転モードが変更される（ステップＳＴ８）。運転モードが変更された後、モード切替時間Ｔ１が経過する（ステップＳＴ９）と、第１の発光素子１４が点灯されると共に第２の発光素子１５が消灯される（ステップＳＴ１０）。これは、図５に示すタイミングチャートに相当する。その後、ステップＳＴ１に戻る。
【００２８】
本実施の形態１によれば、第１の発光素子１４及び第２の発光素子１５は筐体１１の穴１１ａに設けられており、また、運転モードが切り替えられたとき、第１の発光素子１４を消灯又は出力低下させると共に第２の発光素子１５を点灯させる。これにより、第１の発光素子１４の色が薄まり、第２の発光素子１５の色と第１の発光素子１４の色との混色又は薄色化を抑制することができる。従って、表示部１０の省スペース化を実現した上で、表示部１０の視認性を向上させることができる。また、表示部１０をコンパクトにすることができるため、意匠性を向上させることができる。
【００２９】
また、制御部２０は、空調機本体２が停止している場合、空調機本体２の運転モードが切り替えられたとき、第１の発光素子１４を消灯させたまま第２の発光素子１５を点灯させるものである。これにより、第１の発光素子１４の色が薄まり、第２の発光素子１５の色と第１の発光素子１４の色との混色又は薄色化を抑制することができる。従って、表示部１０の省スペース化を実現した上で、表示部１０の視認性を向上させることができる。
【００３０】
更に、制御部２０は、第１の発光素子１４を消灯又は出力低下させると共に第２の発光素子１５を点灯させてから点灯又は消灯を維持するモード切替時間Ｔ１経過したとき、第１の発光素子１４を点灯させると共に第２の発光素子１５を消灯又は出力低下させるものである。また、第１の発光素子１４の発光色は白色であり、第２の発光素子１５の発光色は複数の色に切り替え自在である。このように、制御部２０は、多色の第２の発光素子１５の点灯時間を限定し、白色の第１の発光素子１４を点灯させることによって、空気調和機１が運転中であることをユーザに認識させている。従って、発光時間の寿命が短い多色の第２の発光素子１５の点灯時間が減るため、第２の発光素子１５の使用期間を延ばすことができる。また、高額な多色の第２の発光素子１５の点灯時間が減るため、第２の発光素子１５の交換費用を削減することができる。
【００３１】
運転ランプ及びモードランプのいずれにも多色の発光素子が使用されると、品質を確保するためには製品が高価となる。本実施の形態１は、運転ランプである第１の発光素子１４は比較的長い時間点灯する必要があるため、長寿命の白色の発光素子が使用され、モードランプである第２の発光素子１５は一定時間のみ点灯すればよいため、比較的低寿命の多色の発光素子が使用される。このため、第２の発光素子１５の使用期間を延ばすことができる。
【００３２】
なお、本実施の形態１では、リモートコントローラ３からの信号が運転開始であるか停止であるかが判断されている（図８のステップＳＴ２）が、別の信号で判断されてもよい。例えば、運転モード、風向等を変更する信号で判断されてもよい。この場合、信号は、空気調和機１の停止信号ではないため、ステップＳＴ３に進む。
【００３３】
（第１変形例）
図９は、本発明の第１変形例における表示部１０の動作を示すタイミングチャートである。図９に示すように、第１変形例では、制御部２０は、リモートコントローラ３から信号を受信したとき、第２の発光素子１５の出力を、点灯と消灯との間の遷移期間Ｔ２において段階的に増加させ、第２の発光素子１５の出力が最大になって点灯させたとき、第１の発光素子１４を消灯させる。そして、制御部２０は、第２の発光素子１５の出力を徐々に低下させ、モード切替時間Ｔ１が経過したときに消灯させる。このように、第２の発光素子１５の出力を遷移期間Ｔ２において段階的に増加させることにより、第２の発光素子１５に急激に電力が供給されることが抑制される。従って、第２の発光素子１５の耐久性を向上させることができる。なお、遷移期間Ｔ２は、適宜変更可能である。
【００３４】
（第２変形例）
図１０は、本発明の第２変形例における表示部１０の動作を示すタイミングチャートである。図１０に示すように、第２変形例では、制御部２０は、リモートコントローラ３から信号を受信したとき、第１の発光素子１４の出力を遷移期間Ｔ２において段階的に減少させ、第１の発光素子１４の出力が零になって消灯させる。また、制御部２０は、第２の発光素子１５の出力を遷移期間Ｔ２において段階的に増加させ、第２の発光素子１５の出力が最大になって点灯させる。そして、制御部２０は、第１の発光素子１４の出力を遷移期間Ｔ２において段階的に増加させ、第１の発光素子１４の出力が最大になって点灯させる。また、制御部２０は、第２の発光素子１５の出力を遷移期間Ｔ２において段階的に減少させ、第２の発光素子１５の出力が零になって消灯させる。
【００３５】
このように、第１の発光素子１４及び第２の発光素子１５の出力を遷移期間Ｔ２において段階的に変化させることにより、第１の発光素子１４及び第２の発光素子１５に急激に電力が供給されることが抑制される。従って、第１の発光素子１４及び第２の発光素子１５の耐久性を向上させることができる。なお、遷移期間Ｔ２は、夫々同じ期間でもよく、異なる期間でもよい。
【００３６】
（第３変形例）
図１１は、本発明の第３変形例における表示部１０の動作を示すタイミングチャートである。図１１に示すように、第３変形例では、制御部２０は、リモートコントローラ３から信号を受信したとき、第２の発光素子１５の出力を遷移期間Ｔ２において段階的に増加させ、第２の発光素子１５の出力が最大になって点灯させる。そして、制御部２０は、第２の発光素子１５の出力を遷移期間Ｔ２において段階的に減少させ、モード切替時間Ｔ１が経過したときに消灯させる。このように、第２の発光素子１５の出力を遷移期間Ｔ２において段階的に変化させることにより、第２の発光素子１５に急激に電力が供給されることが抑制される。従って、第２の発光素子１５の耐久性を向上させることができる。
【００３７】
このように、第１変形例、第２変形例及び第３変形例において、制御部２０は、第１の発光素子１４又は第２の発光素子１５の出力を、点灯と消灯との間の遷移期間Ｔ２において段階的に変化させるものである。これにより、第１の発光素子１４又は第２の発光素子１５に急激に電力が供給されることが抑制される。従って、第１の発光素子１４又は第２の発光素子１５の耐久性を向上させることができる。
【符号の説明】
【００３８】
１  空気調和機、２  空調機本体、３  リモートコントローラ、１０  表示部、１１  筐体、１１ａ  穴、１２  固定具、１３  基板、１４  第１の発光素子、１５  第２の発光素子、１６  表示シート、１６ａ  図形、１７  前面パネル、２０  制御部、２１  受信手段、２２  室内制御手段、２３  駆動手段。
【図１】
2017033250.tif 000003
【図２】
2017033250.tif 000004
【図３】
2017033250.tif 000005
【図４】
2017033250.tif 000006
【図５】
2017033250.tif 000007
【図６】
2017033250.tif 000008
【図７】
2017033250.tif 000009
【図８】
2017033250.tif 000010
【図９】
2017033250.tif 000011
【図１０】
2017033250.tif 000012
【図１１】
2017033250.tif 000013
【手続補正書】
【提出日】平成29年11月27日(2017.11.27)
【手続補正１】
【補正対象書類名】明細書
【補正対象項目名】０００６
【補正方法】変更
【補正の内容】
【０００６】
本発明に係る空気調和機は、空調空間の空調を行う空調機本体と、空調機本体に設けられ、空調機本体の運転状態を表示する表示部と、表示部の動作を制御する制御部と、を備え、表示部は、空調機本体に設けられ、穴が形成された筐体と、筐体の穴に配置され、空調機本体の運転又は停止を示す第１の発光素子と、筐体の穴に配置され、空調機本体の運転モードを示し、第１の発光素子とは異なる色で発光する第２の発光素子と、を有し、制御部は、空調機本体が運転しているとき、第１の発光素子を点灯させると共に第２の発光素子を消灯させ、空調機本体の運転モードが切り替えられたとき、第１の発光素子を消灯又は出力低下させると共に第２の発光素子を点灯させるものであり、制御部は、空調機本体が停止している場合、空調機本体の運転モードが切り替えられたとき、第１の発光素子を消灯させたまま第２の発光素子を点灯させるものである。
【手続補正２】
【補正対象書類名】特許請求の範囲
【補正対象項目名】全文
【補正方法】変更
【補正の内容】
【特許請求の範囲】
【請求項１】
空調空間の空調を行う空調機本体と、
前記空調機本体に設けられ、前記空調機本体の運転状態を表示する表示部と、
前記表示部の動作を制御する制御部と、を備え、
前記表示部は、
前記空調機本体に設けられ、穴が形成された筐体と、
前記筐体の前記穴に配置され、前記空調機本体の運転又は停止を示す第１の発光素子と、
前記筐体の前記穴に配置され、前記空調機本体の運転モードを示し、前記第１の発光素子とは異なる色で発光する第２の発光素子と、を有し、
前記制御部は、
前記空調機本体が運転しているとき、前記第１の発光素子を点灯させると共に前記第２の発光素子を消灯させ、
前記空調機本体の運転モードが切り替えられたとき、前記第１の発光素子を消灯又は出力低下させると共に前記第２の発光素子を点灯させるものであり、
前記制御部は、
前記空調機本体が停止している場合、前記空調機本体の運転モードが切り替えられたとき、前記第１の発光素子を消灯させたまま前記第２の発光素子を点灯させるものである
空気調和機。
【請求項２】
前記制御部は、
前記第１の発光素子又は前記第２の発光素子の出力を、点灯と消灯との間の遷移期間において段階的に変化させるものである請求項１記載の空気調和機。
【請求項３】
前記制御部は、
前記第１の発光素子を消灯又は出力低下させると共に前記第２の発光素子を点灯させてから点灯又は消灯を維持するモード切替時間が経過したとき、前記第１の発光素子を点灯させると共に前記第２の発光素子を消灯又は出力低下させるものである請求項１又は２記載の空気調和機。
【請求項４】
前記第１の発光素子の発光色は白色である請求項１〜３のいずれか１項に記載の空気調和機。
【請求項５】
前記第２の発光素子の発光色は複数の色に切り替え自在である請求項１〜４のいずれか１項に記載の空気調和機。
【国際調査報告】
2017033250.tif 000014
2017033250.tif 000015
2017033250.tif 000016
2017033250.tif 000017